(57)【要約】【課題】自然な表示を行うことができる立体画像表示装置を提供する。【解決手段】奇数番目の垂直ラインのＲ（赤）サブピクセル列とＢ（青）サブピクセル列が左眼によってＧ（緑）サブピクセル列が右眼によって視認され、偶数番目の垂直ラインのＲ（赤）サブピクセル列とＢ（青）サブピクセル列が右眼によってＧ（緑）サブピクセル列が左眼によって視認されるように、縦ストライプ型カラーフィルタ（図示せず）を有するＬＣＤパネル６に視差バリア（図示せず）が設けられる。遅延部９によってＧサブピクセルデータをシフトさせることで、左眼に見えるピクセルと右眼に見えるピクセルともに、ＲＢＧ　ＲＢＧ　ＲＢＧ　…と並ぶことになり、自然な表示になる。【選択図】　　　図４
2004120191.tif 000002
【特許請求の範囲】
【請求項１】
視差が付与された左眼用画像データと右眼用画像データとを有する立体画像データを格納し、前記左眼用画像データの赤、緑、青のサブピクセルデータからなるカラー画素データと前記右眼用画像データの赤、緑、青のサブピクセルデータからなるカラー画素データとが交互に切り換わる第１画像データ信号を生成するインターリーブ手段と、
該インターリーブ手段から出力される前記第１画像データ信号のうち特定色のサブピクセルデータだけを前記カラー画素データの切り換わり周波数の１周期だけシフトさせた第２画像データ信号を生成するシフト手段と、
該シフト手段から出力される前記第２画像データ信号に基づいて３次元表示を行う画像表示手段と、
を備えることを特徴とする立体画像表示装置。
【請求項２】
前記第２画像データ信号に対してシフト方向先端に位置する前記特定色のサブピクセルデータの削除及び前記特定色のサブピクセルデータのシフト元にはなるがシフト先にはならない箇所へのデータの補完を行い、前記削除及び前記補完が行われた第２画像データ信号を前記画像表示手段に出力する手段を備える請求項１に記載の立体画像表示装置。
【発明の詳細な説明】
【０００１】
【発明の属する技術分野】
本発明は、左眼用画像と右目用画像との間の視差を利用して立体視を可能とする立体画像表示装置に関する。
【０００２】
【従来の技術】
縦ストライプ型カラーフィルタを有する３次元表示が可能な立体画像表示装置においては、奇数番目の垂直ラインのうちＲ（赤）サブピクセル列とＢ（青）サブピクセル列が左眼によって視認されＧ（緑）サブピクセル列が右眼によって視認され、偶数番目の垂直ラインのうちＲ（赤）サブピクセル列とＢ（青）サブピクセル列が右眼によって視認されＧ（緑）サブピクセル列が左眼によって視認されるように、パララックスバリアやレンチキュラーレンズ等の視差バリアを設ける構造が標準的である。
【０００３】
左眼用画像データと右眼用画像データを１ピクセル毎にインターリーブした画像データを上記標準的なタイプの立体画像表示装置にそのまま表示した場合、緑のサブピクセル信号が左右入れ換わりとなり正常な立体画像が表示されない
【０００４】
そこで、特許文献１に開示されている立体画像表示装置では、隣り合う緑のサブピクセルを交換している。これにより、緑のサブピクセル信号が左右入れ換わることを防止することができ、正常な立体画像が表示される。
【０００５】
【特許文献１】
特開平１１−３１３３４３号公報　（第６−７頁、第１図）
【０００６】
【発明が解決しようとする課題】
しかしながら、特許文献１に開示されている立体画像表示装置では左眼に見えるピクセルは、ＲＢＧ　ＲＢＧ　ＲＢＧ　…と並ぶが、右眼に見えるピクセルは、ＧＲＢ　ＧＲＢ　ＧＲＢ　…と並ぶことになり、左眼に見えるピクセルと右眼に見えるピクセルとで色の並びが異なるため、不自然な表示になっていた。
【０００７】
本発明は、上記の問題点に鑑み、自然な表示を行うことができる立体画像表示装置を提供することを目的とする。
【０００８】
【課題を解決するための手段】
上記目的を達成するために、本発明に係る立体画像表示装置においては、視差が付与された左眼用画像データと右眼用画像データとを有する立体画像データを格納し、前記左眼用画像データの赤、緑、青のサブピクセルデータからなるカラー画素データと前記右眼用画像データの赤、緑、青のサブピクセルデータからなるカラー画素データとが交互に切り換わる第１画像データ信号を生成するインターリーブ手段と、該インターリーブ手段から出力される前記第１画像データ信号のうち特定色のサブピクセルデータだけを前記カラー画素データの切り換わり周波数の１周期だけシフトさせた第２画像データ信号を生成するシフト手段と、該シフト手段から出力される前記第２画像データ信号に基づいて３次元表示を行う画像表示手段と、を備える構成とする。
【０００９】
このような構成の立体画像表示装置において、例えば前記画像表示手段に上述した標準的なタイプの立体画像表示装置を用い、前記特定色を緑色にした場合、左眼に見えるピクセルと右眼に見えるピクセルともに、ＲＢＧ　ＲＢＧ　ＲＢＧ　…と並ぶことになる。このように本発明に係る立体画像表示装置においては、左眼に見えるピクセルと右眼に見えるピクセルとで色の並びが一致するため、自然な表示になる。
【００１０】
また、前記第２画像データ信号に対してシフト方向先端に位置する前記特定色のサブピクセルデータの削除及び前記特定色のサブピクセルデータのシフト元にはなるがシフト先にはならない箇所へのデータの補完を行い、前記削除及び前記補完が行われた第２画像データ信号を前記画像表示手段に出力する手段を備えてもよい。
【００１１】
これにより、データの欠落や冗長に起因する不具合を未然に防止することができる。
【００１２】
【発明の実施の形態】
以下に本発明の一実施形態について図面を参照して説明する。本発明の第一実施形態に係る立体画像表示装置の回路ブロック図を図１に示す。図１の立体画像表示装置は、ＣＰＵ１と、メモリ２と、１ラインバッファ３と、１ビットバッファ４と、ＶＲＡＭ５と、ＬＣＤパネル６と、バスライン７とを備えている。なお、１ラインバッファ３は左眼用画像データ用の第１アドレスカウンタと右眼用画像データ用の第２アドレスカウンタを内蔵しており、ＶＲＡＭ５は第３アドレスカウンタを内蔵している。また、ＬＣＤパネル６は、縦ストライプ型カラーフィルタを有する３次元表示が可能なＬＣＤパネルである。そして、ＬＣＤパネル６には、奇数番目の垂直ラインのうちＲ（赤）サブピクセル列とＢ（青）サブピクセル列が左眼によって視認されＧ（緑）サブピクセル列が右眼によって視認され、偶数番目の垂直ラインのうちＲ（赤）サブピクセル列とＢ（青）サブピクセル列が右眼によって視認されＧ（緑）サブピクセル列が左眼によって視認されるように、パララックスバリアやレンチキュラーレンズ等の視差バリアが設けられている。
【００１３】
ＣＰＵ１は、バスライン７を介して、メモリ２と、１ラインバッファ３と、１ビットバッファ４と、ＶＲＡＭ５とを制御する。そして、ＶＲＡＭ５に格納されたデータがＬＣＤパネル６に送られ、ＬＣＤパネル６に立体画像が表示される。
【００１４】
続いて図１の立体画像表示装置の動作について図２及び図３を参照して説明する。なお、図２は図１の立体画像表示装置の動作を示すフローチャートであり、図３は図１の立体画像表示装置のＶＲＡＭ及び１ビットバッファに格納されるデータ並びにアドレスカウンタ値を示す図である。
【００１５】
メモリ２は、左眼用画像データと右眼用画像データとヘッダ情報を有する立体画像データを格納している。左眼用画像データはＬＣＤパネル６のサイズ（解像度）と同一のサイズである左眼用原画像データを間引いて水平方向のドット数を１／２にしたデータである。同様に、右眼用画像データはＬＣＤパネル６のサイズと同一のサイズである右眼用原画像データを間引いて水平方向のドット数を１／２にしたデータである。
【００１６】
ここでは、説明を簡単にするため、図３に示すように、左眼用画像データＤＬ、右眼用画像データＤＲともに１２サブピクセル（＝４ピクセル）のデータであるものとする。
【００１７】
図２のフローが開始されると、第１アドレスカウンタのカウンタ値ＡＣ１、第２アドレスカウンタのカウンタ値ＡＣ２、及び第３アドレスカウンタのカウンタ値ＡＣ３がそれぞれ初期化されて「１」になる（ステップＳ１０）。そして、メモリ２から１ラインバッファ３に１水平ライン分の左眼用画像データと右眼用画像データが送られ、その後１ラインバッファ３にデータがなくなる毎にメモリ２から１ラインバッファ３に次の１水平ライン分の左眼用画像データと右眼用画像データが送られる。
【００１８】
また、ステップＳ１０において、第１アドレスカウンタのカウンタ値ＡＣ１に従って１ピクセル分の左眼用画像データが１ラインバッファ３から読み出され、その読み出されたデータが第３アドレスカウンタのカウンタ値ＡＣ３に従ってＶＲＡＭ５に書き込まれ、その後第３アドレスカウンタのカウンタ値ＡＣ３が１つカウントアップされる。なお、ステップＳ１０終了時点でのＶＲＡＭ５及び１ビットバッファ４に格納されるデータ並びにアドレスカウンタ値ＡＣ１〜ＡＣ３は図３に示す▲１▼の状態になる。
【００１９】
続くステップＳ２０では、第２アドレスカウンタのカウンタ値ＡＣ２に従って１ラインバッファ３から１ピクセル分の右眼用画像データが読み出され１ビットバッファ４に格納される。その後第２アドレスカウンタのカウンタ値ＡＣ２が１つカウントアップされる。なお、フロー一巡目のステップＳ２０終了時点でのＶＲＡＭ５及び１ビットバッファ４に格納されるデータ並びにアドレスカウンタ値ＡＣ１〜ＡＣ３は図３に示す▲２▼の状態になる。
【００２０】
続くステップＳ３０では、１ビットバッファ４に格納されているデータを第３アドレスカウンタのカウンタ値ＡＣ３に従ってＶＲＡＭ５に書き込む。なお、フロー一巡目のステップＳ３０終了時点でのＶＲＡＭ５及び１ビットバッファ４に格納されるデータ並びにアドレスカウンタ値ＡＣ１〜ＡＣ３は図３に示す▲３▼の状態になる。
【００２１】
続くステップＳ４０では、第１アドレスカウンタのカウンタ値ＡＣ１に従って左眼用画像データのＧ（緑）サブピクセルデータを１ラインバッファ３から読み出し、その読み出したＧサブピクセルデータを第３アドレスカウンタのカウンタ値ＡＣ３に従ってＶＲＡＭ５のＧサブピクセルデータとして書き込む。その後第１アドレスカウンタのカウンタ値ＡＣ１及び第３アドレスカウンタのカウンタ値ＡＣ３がそれぞれ１つカウントアップされる。なお、フロー一巡目のステップＳ４０終了時点でのＶＲＡＭ５及び１ビットバッファ４に格納されるデータ並びにアドレスカウンタ値ＡＣ１〜ＡＣ３は図３に示す▲４▼の状態になる。
【００２２】
続くステップＳ４５では、第１アドレスカウンタのカウンタ値ＡＣ１が最終値（＝４）以下であるかを判定する。第１アドレスカウンタのカウンタ値ＡＣ１が最終値以下であれば（ステップＳ４５のＹｅｓ）、ステップＳ５０に移行する。一方、第１アドレスカウンタのカウンタ値ＡＣ１が最終値以下でなければ（ステップＳ４５のＮо）、フローを終了する。
【００２３】
ステップＳ５０では、第１アドレスカウンタのカウンタ値ＡＣ１に従って１ピクセル分の左眼用画像データが１ラインバッファ３から読み出され、その読み出されたデータが第３アドレスカウンタのカウンタ値ＡＣ３に従ってＶＲＡＭ５に書き込まれる。なお、フロー一巡目のステップＳ５０終了時点でのＶＲＡＭ５及び１ビットバッファ４に格納されるデータ並びにアドレスカウンタ値ＡＣ１〜ＡＣ３は図３に示す▲５▼の状態になる。
【００２４】
続くステップＳ６０では、１ビットバッファ４が格納しているＧサブピクセルデータを読み出し、その読み出したデータを第３アドレスカウンタのカウンタ値ＡＣ３にしたがってＶＲＡＭ５に書き込む。その後第３アドレスカウンタのカウンタ値ＡＣ３が１つカウントアップされる。なお、フロー一巡目のステップＳ６０終了時点でのＶＲＡＭ５及び１ビットバッファ４に格納されるデータ並びにアドレスカウンタ値ＡＣ１〜ＡＣ３は図３に示す▲６▼の状態になる。
【００２５】
その後、ステップＳ２０に移行する。なお、フロー二巡目のステップＳ２０終了時点でのＶＲＡＭ５及び１ビットバッファ４に格納されるデータ並びにアドレスカウンタ値ＡＣ１〜ＡＣ３は図３に示す▲２▼＿２の状態になる。また、フロー二巡目のステップＳ３０終了時点でのＶＲＡＭ５及び１ビットバッファ４に格納されるデータ並びにアドレスカウンタ値ＡＣ１〜ＡＣ３は図３に示す▲３▼＿２の状態になる。また、フロー二巡目のステップＳ４０終了時点でのＶＲＡＭ５及び１ビットバッファ４に格納されるデータ並びにアドレスカウンタ値ＡＣ１〜ＡＣ３は図３に示す▲４▼＿２の状態になる。また、フロー二巡目のステップＳ５０終了時点でのＶＲＡＭ５及び１ビットバッファ４に格納されるデータ並びにアドレスカウンタ値ＡＣ１〜ＡＣ３は図３に示す▲５▼＿２の状態になる。また、フロー二巡目のステップＳ６０終了時点でのＶＲＡＭ５及び１ビットバッファ４に格納されるデータ並びにアドレスカウンタ値ＡＣ１〜ＡＣ３は図３に示す▲６▼＿２の状態になる。
【００２６】
このように動作することにより、ＶＲＡＭ５からＬＣＤパネル６に送られる画像データＤ０は図３に示すようになり、左眼用画像データＤＬと右眼用画像データＤＲを１ピクセル毎にインタリーブしたデータに対してＧサブピクセルが１つずつシフトした信号になる。したがって、画像データＤ０から左眼に見えるサブピクセルのみを取り出したデータＤ０Ｌ（図３参照）と画像データＤ０から右眼に見えるサブピクセルのみを取り出したデータＤ０Ｒ（図３参照）とから明らかなように、左眼に見えるピクセルと右眼に見えるピクセルともに、ＲＢＧ　ＲＢＧ　ＲＢＧ　…と並ぶことになり、左眼に見えるピクセルと右眼に見えるピクセルとで色の並びが一致するため、自然な表示になる。
【００２７】
また、Ｇサブピクセルが１つずつシフトすることで、最初のＧサブピクセルデータがなくなり、最後のＧサブピクセルデータが余ることになるが、本実施形態では左眼用画像データＤＬの最初のＧサブピクセルデータ（ＬＧ１）を補完して画像データＤ０の最初のＧサブピクセルデータとしており、最後のＧサブピクセルデータ（ＲＧ８）はＶＲＡＭ５に書き込まれないようにしている。これにより、データの欠落や冗長に起因する不具合を未然に防止することができる。
【００２８】
次に、本発明の第二実施形態に係る立体画像表示装置について説明する。本発明の第二実施形態に係る立体画像表示装置の回路ブロック図を図４に示す。なお、図４において図１と同一の部分には同一の符号を付す。図４の立体画像表示装置は、立体表示用データ信号生成部８と、遅延部９と、ＶＲＡＭ５と、ＬＣＤパネル６とを備えている。
【００２９】
立体表示用データ信号生成部８は、左眼用画像データと右眼用画像データとヘッダ情報を有する立体画像データを格納している。左眼用画像データはＬＣＤパネルのサイズと同一のサイズである左眼用原画像データを間引いて水平方向のドット数を１／２にしたデータである。同様に、右眼用画像データはＬＣＤパネルのサイズと同一のサイズである右眼用原画像データを間引いて水平方向のドット数を１／２にしたデータである。ここでは、説明を簡単にするため、図３に示すように、左眼用画像データＤＬ、右眼用画像データＤＲともに１２サブピクセル（＝４ピクセル）のデータであるものとする。
【００３０】
立体表示用データ信号生成部８は、格納している立体画像データに基づいて図５に示す左眼用画像データＤＬと右眼用画像データＤＲを１ピクセル毎にインターリーブした画像データＤ１を生成する。さらに、立体表示用データ信号生成部８は、画像データＤ１の最初のＧサブピクセルデータ（ＬＧ１）との差が左眼用画像データＤＬと右眼用画像データＤＲとの切り換わり周波数の１周期になるタイミングで画像データＤ１の先頭に補完データを加えるとともに画像データＤ１から最後のＧサブピクセルデータ（ＲＧ８）を削除して画像データＤ２を生成する。なお、補完データの内容は特に限定されることはなく、例えば白画像に対応するデータや黒画像に対応するデータ等にするとよい。
【００３１】
立体表示用データ信号生成部８から出力される画像データＤ２のうちＲ（赤）サブピクセルデータとＢ（青）サブピクセルデータは直接ＶＲＡＭ５に入力され、残るＧサブピクセルデータは遅延部９を介してＶＲＡＭ５に入力される。そして、ＶＲＡＭ５に格納されたデータがＬＣＤパネル６に送られ、ＬＣＤパネル６に立体画像が表示される。遅延部９は、入力したＧサブピクセルデータを左眼用画像データＤＬと右眼用画像データＤＲとの切り換わり周波数の１周期だけ遅延させて出力する。
【００３２】
したがって、ＶＲＡＭ５に入力される画像データＤ３は図５に示すようになり、左眼用画像データＤＬと右眼用画像データＤＲを１ピクセル毎にインタリーブしたデータに対してＧサブピクセルが１つずつシフトした信号になる。したがって、画像データＤ３から左眼に見えるサブピクセルのみを取り出したデータＤ３Ｌ（図５参照）と画像データＤ３から右眼に見えるサブピクセルのみを取り出したデータＤ３Ｒ（図３参照）とから明らかなように、左眼に見えるピクセルと右眼に見えるピクセルともに、ＲＢＧ　ＲＢＧ　ＲＢＧ　…と並ぶことになり、左眼に見えるピクセルと右眼に見えるピクセルとで色の並びが一致するため、自然な表示になる。
【００３３】
また、Ｇサブピクセルが１つずつシフトすることで、最初のＧサブピクセルデータがなくなり、最後のＧサブピクセルデータが余ることになるが、本実施形態では補完データを追加することで画像データＤ３の最初のＧサブピクセルデータとしており、最後のＧサブピクセルデータ（ＲＧ８）は立体表示用データ信号生成部８から出力されないようにしている。これにより、データの欠落や冗長に起因する不具合を未然に防止することができる。
【００３４】
次に、本発明の第三実施形態に係る立体画像表示装置について説明する。本発明の第三実施形態に係る立体画像表示装置の回路ブロック図を図６に示す。なお、図６において図１と同一の部分には同一の符号を付す。
【００３５】
図６の立体画像表示装置は、ＣＰＵ１と、メモリ２と、ＳＲＡＭ３’と、インプットバッファ４’と、Ｇシフト回路１０と、ＶＲＡＭ５と、ＬＣＤパネル６とを備えている。なお、ＳＲＡＭ３’、インプットバッファ４’、Ｇシフト回路１０、及びＶＲＡＭ５は、一つのＩＣで構成されている。また、ＳＲＡＭ３’は１水平ラインのデータをバッファする１ラインバッファであり、インプットバッファ４’は１ピクセルのデータをバッファする１ビットバッファである。
【００３６】
本実施形態では、第一実施形態のようにＶＲＡＭ５にＧサブピクセルデータを上書きしてＧサブピクセルをシフトさせるのはなく、Ｇシフト回路１０によってＧサブピクセルがシフトされた画像データが、ＶＲＡＭ５に書き込まれる構成にしている。このような構成にしてもＶＲＡＭ５がＬＣＤパネル６に出力する信号は図１の立体画像表示装置と同一であるので、図６の立体画像表示装置は図１の立体画像表示装置と同様の効果を奏する。
【００３７】
なお、上記第１〜第３実施形態においては、奇数番目の垂直ラインのうちＲ（赤）サブピクセル列とＢ（青）サブピクセル列が左眼によって視認されＧ（緑）サブピクセル列が右眼によって視認され、偶数番目の垂直ラインのうちＲ（赤）サブピクセル列とＢ（青）サブピクセル列が右眼によって視認されＧ（緑）サブピクセル列が左眼によって視認されるように、パララックスバリアやレンチキュラーレンズ等の視差バリアがＬＣＤパネル６に設けられているので、Ｇサブピクセルをシフトさせたが、ＬＣＤパネルの構造によってはＲサブピクセルやＧサブピクセルをシフトさせてもよい。また、ＬＣＤパネルの代わりにプラズマディスプレイパネル等他の表示パネルを用いてもよい。
【００３８】
【発明の効果】
本発明によると、自然な表示を行うことができる立体画像表示装置を実現することができる。
【図面の簡単な説明】
【図１】本発明の第一実施形態に係る立体画像表示装置の回路ブロック図である。
【図２】図１の立体画像表示装置の動作を示すフローチャートである。
【図３】図１の立体画像表示装置のＶＲＡＭ及び１ビットバッファに格納されるデータ並びにアドレスカウンタ値を示す図である。
【図４】本発明の第二実施形態に係る立体画像表示装置の回路ブロック図である。
【図５】図４の立体画像表示装置の各部に入出力されるデータを示す図である。
【図６】本発明の第三実施形態に係る立体画像表示装置の回路ブロック図である。
【符号の説明】
１　ＣＰＵ
２　メモリ
３　１ラインバッファ
３’　ＳＲＡＭ
４　１ビットバッファ
４’　インプットバッファ
５　ＶＲＡＭ
６　ＬＣＤパネル
７　バスライン
８　立体表示用データ信号生成部
９　遅延部
１０　Ｇシフト回路
【図１】
2004120191.tif 000003
【図２】
2004120191.tif 000004
【図３】
2004120191.tif 000005
【図４】
2004120191.tif 000006
【図５】
2004120191.tif 000007
【図６】
2004120191.tif 000008